(57)【要約】  この光計測システム（１００）は、複数の光計測ユニット（１）と、光計測ユニットを制御する制御装置（２）とを備える。制御装置は、複数の光計測ユニットの各々について、光計測ユニットが計測可能な状態か否かに関する所定の状態情報（３０）を通信により取得する通信部（２４）と、複数の光計測ユニットの各々について、取得した状態情報を一括で表示する表示部（２５）と、同時計測を行うように複数の光計測ユニットを制御する制御部（２１）とを含む。
2015177876.tif 000002
【特許請求の範囲】
【請求項１】
脳機能計測を行う複数の光計測ユニットと、前記光計測ユニットを制御する１または複数の制御装置とを備え、
前記制御装置は、
前記複数の光計測ユニットの各々について、前記光計測ユニットが計測可能な状態か否かに関する所定の状態情報を通信により取得する通信部と、
前記複数の光計測ユニットの各々について、取得した前記状態情報を一括で表示する表示部と、
前記複数の光計測ユニットの一部または全部により同時並行で計測する同時計測を行うように、複数の前記光計測ユニットを制御する制御部とを含む、光計測システム。
【請求項２】
前記制御装置の制御部は、前記状態情報に基づいて、同時計測が可能な前記光計測ユニットを特定し、前記複数の光計測ユニットの各々について、同時計測可能であるか否かの情報を前記表示部に一括で表示させるように構成されている、請求項１に記載の光計測システム。
【請求項３】
前記制御装置は、同時計測が可能な前記光計測ユニットについて、個別に選択する操作を受け付ける操作入力部をさらに含み、
前記制御装置の制御部は、選択された前記光計測ユニットにより同時計測を行うように構成されている、請求項２に記載の光計測システム。
【請求項４】
前記状態情報は、前記光計測ユニットと前記制御装置との通信状態の情報、および、前記光計測ユニットのバッテリ残量の情報を少なくとも含む、請求項１に記載の光計測システム。
【請求項５】
前記状態情報は、前記光計測ユニットのメモリ残量の情報、および、前記光計測ユニットの受光量に関する情報のうち、少なくともいずれかをさらに含む、請求項４に記載の光計測システム。
【請求項６】
前記制御装置の制御部は、
少なくともバッテリ残量に基づいて前記光計測ユニットの各々の計測可能時間を算出するとともに、
前記複数の光計測ユニットのそれぞれの前記計測可能時間に基づいて、前記複数の光計測ユニットにより同時計測を行う場合の同時計測可能時間を算出して前記表示部に表示するように構成されている、請求項４に記載の光計測システム。
【請求項７】
前記制御装置の制御部は、
同時計測の開始後に、計測動作中の前記光計測ユニットの各々の前記状態情報を取得するとともに前記計測可能時間を算出し、
前記計測可能時間が所定値よりも小さくなった前記光計測ユニットを示す情報を前記表示部に表示するように構成されている、請求項６に記載の光計測システム。
【請求項８】
複数の光計測ユニットの各々について、前記光計測ユニットが計測可能な状態か否かに関する所定の状態情報を通信により取得するステップと、
前記複数の光計測ユニットの各々について、取得した前記状態情報を表示部に一括で表示するステップと、
前記複数の光計測ユニットの一部または全部により同時並行で計測する同時計測を行うように、複数の前記光計測ユニットを制御するステップとを備える、光脳機能計測方法。
【発明の詳細な説明】
【技術分野】
【０００１】
この発明は、光計測システムに関し、特に、脳機能計測を行う光計測ユニットと、光計測ユニットを制御する制御装置とを備えた光計測システムおよび光脳機能計測方法に関する。
【背景技術】
【０００２】
従来、光計測ユニットと制御装置とを備えた光計測システムが知られている。このような光計測システムは、たとえば、国際公開第２０１１／０６７８３３号に開示されている。【０００３】
上記国際公開第２０１１／０６７８３３号に開示されている光計測システムは、近赤外分光法（ＮＩＲＳ）による脳機能計測を行う複数台の光計測ユニットを備えている。光計測ユニットは、被験者に装着した状態で携行可能に構成されている。制御装置による計測動作の制御や、制御装置への計測データの送信は、無線通信により行われる。
【先行技術文献】
【特許文献】
【０００４】
【特許文献１】国際公開第２０１１／０６７８３３号
【発明の概要】
【発明が解決しようとする課題】
【０００５】
このような光計測システムの用途として、脳科学研究の分野やニューロマーケティングの分野では、複数台の光計測ユニットを用いて複数の被験者の脳機能計測を同時並行で行うこと（同時計測）へのニーズが存在する。たとえば、複数人の被験者の集団でのコミュニケーション時の、個々の被験者の脳活動を対比可能な状態で計測することなどへの利用が考えられる。【０００６】
複数台（たとえば、４台以上）の光計測ユニットを用いて同時計測を行う場合、まず、使用する光計測ユニットを全て計測可能な状態にする必要がある。たとえば、各光計測ユニットと制御装置との通信接続を確立させたり、バッテリ駆動の光計測ユニットについては充電やバッテリ交換をしたりする必要がある。しかしながら、従来では、各光計測ユニットが計測可能な状態にあるか否かを１台ずつ個別に確認していく必要があった。そのため、従来、複数台の光計測ユニットでの同時計測には、複数の光計測ユニットの各々の状態を把握する作業が煩雑で計測準備に時間がかかるという問題がある。【０００７】
この発明は、上記のような課題を解決するためになされたものであり、この発明の１つの目的は、複数の光計測ユニットでの同時計測を行う場合に、各光計測ユニットの状態の把握を容易化して計測準備に要する時間を短縮することが可能な光計測システムおよび光脳機能計測方法を提供することである。
【課題を解決するための手段】
【０００８】
上記目的を達成するために、この発明の第１の局面における光計測システムは、脳機能計測を行う複数の光計測ユニットと、光計測ユニットを制御する１または複数の制御装置とを備え、制御装置は、複数の光計測ユニットの各々について、光計測ユニットが計測可能な状態か否かに関する所定の状態情報を通信により取得する通信部と、複数の光計測ユニットの各々について、取得した状態情報を一括で表示する表示部と、複数の光計測ユニットの一部または全部により同時並行で計測する同時計測を行うように、複数の光計測ユニットを制御する制御部とを含む。【０００９】
この発明の第１の局面による光計測システムでは、上記のように、複数の光計測ユニットの各々について、光計測ユニットが計測可能な状態か否かに関する所定の状態情報を通信により取得する通信部と、複数の光計測ユニットの各々について、取得した状態情報を一括で表示する表示部とを制御装置に設けることによって、ユーザは、制御装置の表示部に表示された状態情報から、それぞれの光計測ユニットが計測可能な状態か否かを一度にまとめて確認することができる。その結果、計測可能な状態にない光計測ユニットを速やかに把握して、計測可能な状態にするための作業を行うことができる。また、計測可能な光計測ユニットも一括で把握することができるので、計測可能な光計測ユニットについては速やかに被験者に対する脳機能計測の準備を完了することができる。以上から、本発明によれば、複数の光計測ユニットでの同時計測を行う場合に、各光計測ユニットの状態の把握を容易化して計測準備に要する時間を短縮することができる。【００１０】
上記第１の局面による光計測システムにおいて、好ましくは、制御装置の制御部は、状態情報に基づいて、同時計測が可能な光計測ユニットを特定し、複数の光計測ユニットの各々について、同時計測可能であるか否かの情報を表示部に一括で表示させるように構成されている。このように構成すれば、たとえば状態情報が複数項目にわたる場合でも、ユーザは、複数の光計測ユニットの各々が同時計測可能であるか否かを表示部の画面上で一見して把握することができる。また、ユーザが状態情報を検討して、光計測ユニットの各々が計測可能な状態にあるか否かを自ら判断する必要がなく、表示部の表示を見るだけで同時計測可能なユニットと計測可能な状態にないユニットとを即座に把握することができる。その結果、各光計測ユニットの状態の把握をさらに容易化することができるとともに、ユーザに対する利便性を向上させることができる。【００１１】
この場合、好ましくは、制御装置は、同時計測が可能な光計測ユニットについて、個別に選択する操作を受け付ける操作入力部をさらに含み、制御装置の制御部は、選択された光計測ユニットにより同時計測を行うように構成されている。このように構成すれば、たとえば複数の光計測ユニットの一部のみを使用する場合などには、ユーザは、同時計測が可能な光計測ユニットを選択するだけですぐに脳機能計測を開始することができる。これにより、計測準備時間をさらに短縮することができる。【００１２】
上記第１の局面による光計測システムにおいて、好ましくは、状態情報は、光計測ユニットと制御装置との通信状態の情報、および、光計測ユニットのバッテリ残量の情報を少なくとも含む。このように構成すれば、ユーザは、状態情報として、光計測ユニットに計測動作を実行させるために必要な通信状態およびバッテリ残量の情報を各光計測ユニットについて一括で把握することができる。これにより、各光計測ユニットを計測可能な状態にするために必要な情報を容易かつ速やかに把握することが可能となる。【００１３】
この場合、好ましくは、状態情報は、光計測ユニットのメモリ残量の情報、および、光計測ユニットの受光量に関する情報のうち、少なくともいずれかをさらに含む。このように構成すれば、メモリ残量の情報を状態情報に含める場合には、各光計測ユニットが継続して計測するためのメモリ残量が確保されているか否かを一括で把握することができる。そして、必要な場合には、記憶媒体の交換などの処置を講じることができる。また、受光量に関する情報を状態情報に含める場合には、各光計測ユニットの計測用端子などの被験者への装着状態の良否や、光源および光検出部の調整（キャリブレーション）の必要性などの良好な計測データを得るために必要な情報を一括で把握することができる。そして、必要な場合に被験者への再装着作業や光源および光検出部の調整などの処置を講じることができる。以上の結果、各光計測ユニットを計測可能な状態にするために必要な情報のみならず、各光計測ユニットで良好な計測データを得るために必要な情報を把握することが可能となる。【００１４】
上記状態情報が通信状態の情報およびバッテリ残量の情報を少なくとも含む構成において、好ましくは、制御装置の制御部は、少なくともバッテリ残量に基づいて光計測ユニットの各々の計測可能時間を算出するとともに、複数の光計測ユニットのそれぞれの計測可能時間に基づいて、複数の光計測ユニットにより同時計測を行う場合の同時計測可能時間を算出して表示部に表示するように構成されている。このように構成すれば、ユーザは、同時計測可能時間に基づいて、自らの実施計画に沿った同時計測が実施可能か否かを容易に判断することができる。そして、同時計測可能時間が不十分である場合には、ユーザは、バッテリ残量がある程度残っている光計測ユニットに対してもバッテリ交換を行ったり、計測の実施計画を変更したりする対応を採ることができる。これにより、ユーザに対する利便性をさらに向上させることができる。【００１５】
この場合、好ましくは、制御装置の制御部は、同時計測の開始後に、計測動作中の光計測ユニットの各々の状態情報を取得するとともに計測可能時間を算出し、計測可能時間が所定値よりも小さくなった光計測ユニットを示す情報を表示部に表示するように構成されている。このように構成すれば、複数の光計測ユニットによる同時計測の実行中にも、光計測ユニットの計測可能時間が残り少なくなった場合にユーザがその光計測ユニットを把握することができる。これにより、計測可能時間が少なくなったユニットを外部電源と接続する対応や、計測の実施計画を変更して、適切なタイミングで計測中断を行うなどの対応をとることができる。これにより、ユーザに対する利便性をより一層向上させることができる。【００１６】
この発明の第２の局面における光脳機能計測方法は、複数の光計測ユニットの各々について、光計測ユニットが計測可能な状態か否かに関する所定の状態情報を通信により取得するステップと、複数の光計測ユニットの各々について、取得した状態情報を表示部に一括で表示するステップと、複数の光計測ユニットの一部または全部により同時並行で計測する同時計測を行うように、複数の光計測ユニットを制御するステップとを備える。【００１７】
この発明の第２の局面による光脳機能計測方法では、上記のように、複数の光計測ユニットの各々について、光計測ユニットが計測可能な状態か否かに関する所定の状態情報を通信により取得するステップと、複数の光計測ユニットの各々について、取得した状態情報を表示部に一括で表示するステップとを設けることによって、ユーザは、表示部に表示された状態情報から、それぞれの光計測ユニットが計測可能な状態か否かを一度にまとめて確認することができる。その結果、計測可能な状態にない光計測ユニットを速やかに把握して、計測可能な状態にするための作業を行うことができる。また、計測可能な光計測ユニットも一括で把握することができるので、計測可能な光計測ユニットについては速やかに被験者に対する脳機能計測の準備を完了することができる。以上から、本発明によれば、複数の光計測ユニットでの同時計測を行う場合に、各光計測ユニットの状態の把握を容易化して計測準備に要する時間を短縮することができる。
【発明の効果】
【００１８】
上記のように、本発明によれば、複数の光計測ユニットでの同時計測を行う場合に、各光計測ユニットの状態の把握を容易化して計測準備に要する時間を短縮することができる。
【図面の簡単な説明】
【００１９】
【図１】本発明の第１実施形態による光計測システムの全体構成を示した模式図である。
【図２】光計測システムの光計測ユニットおよび制御装置の構成を示したブロック図である。
【図３】本発明の第１実施形態による光計測システムの状態表示画面を示した図である。
【図４】本発明の第１実施形態による光計測システムのユニット選択画面を示した図である。
【図５】本発明の第１実施形態による光計測システムの注意画面を示した図である。
【図６】本発明の第１実施形態による光計測システムの同時計測の動作を説明するためのフローチャート（前半部分）である。
【図７】図６に示したフローチャートの後半部分である。
【図８】本発明の第２実施形態による光計測システムの全体構成を示した模式図である。
【発明を実施するための形態】
【００２０】
以下、実施形態を図面に基づいて説明する。
【００２１】
（第１実施形態）
まず、図１〜図５を参照して、本発明の一実施形態による光計測システム１００の全体構成について説明する。
【００２２】
図１に示すように、第１実施形態による光計測システム１００は、複数台の光計測ユニット１により複数の被験者Ｐ（Ｐ１〜Ｐｎ）に対する脳機能計測を同時並行で行う同時計測が可能なシステムとして構成されている。光計測システム１００は、脳機能計測を行う複数（ｎ台）の光計測ユニット１（ユニット１〜ユニットｎ）と、光計測ユニット１を制御する１台の制御装置２とから構成されている。
【００２３】
光計測ユニット１は、被験者Ｐの脳活動を非侵襲で計測する装置であり、近赤外分光法（ＮＩＲＳ）により脳活動の光計測を行う光計測装置である。第１実施形態では、光計測ユニット１は、被験者Ｐによって携行可能に構成された携帯型ユニットとして構成されている。また、複数の光計測ユニット１と制御装置２とは、相互通信が可能なように無線接続されている。これにより、第１実施形態による光計測システム１００では、脳機能計測中も被験者Ｐが制御装置２の近傍位置に拘束されることなく、被験者Ｐが光計測ユニット１を携行して自由に移動可能であり、日常生活に近い環境で脳機能計測を行うことが可能である。
【００２４】
複数の光計測ユニット１は、いずれも同一構成を有している。光計測ユニット１は、光ファイバ３を介して接続された送光プローブ４ａおよび受光プローブ４ｂを備えている。光計測ユニット１には、それぞれ複数の送光プローブ４ａおよび受光プローブ４ｂが接続可能である。送光プローブ４ａおよび受光プローブ４ｂは、被験者Ｐの頭部に装着されるプローブ固定用のホルダ５に着脱可能に取り付けられる。
【００２５】
送光プローブ４ａおよび受光プローブ４ｂは、被験者Ｐの脳活動を示す信号を検出する機能を有する。送光プローブ４ａおよび受光プローブ４ｂは、それぞれホルダ５に取り付けられることにより、被験者Ｐの頭部表面上に配置される。そして、光計測ユニット１は、送光プローブ４ａから近赤外光の波長領域の計測光を照射し、被験者Ｐの頭内で反射した計測光を受光プローブ４ｂに入射させて検出することにより、計測光の強度（受光量）を取得する。取得した計測光の強度に基づいて、脳活動に伴うヘモグロビン量（酸素化ヘモグロビン、脱酸素化へグロビンおよび総ヘモグロビン）の変化を取得することができる。これにより、光計測システム１００は、脳活動に伴うヘモグロビン量の変化、すなわち血流量の変化や酸素代謝の活性化状態を非侵襲で取得することが可能である。光計測では、送光プローブ４ａおよび受光プローブ４ｂのペアによって構成される計測点（計測チャンネル）毎に、脳活動が計測される。
【００２６】
図２に示すように、光計測ユニット１は、携行可能なサイズの筐体１０内に、光源１１と、光検出部１２と、光源駆動部１３と、Ａ／Ｄ変換器１４と、本体制御部１５と、通信部１６と、記憶部１７とを備えている。また、光計測ユニット１は、バッテリ１８と、残量検出部１９とを備えている。
【００２７】
光源１１は、光ファイバ３を介して送光プローブ４ａに計測光を出力するように構成されている。光源１１は、半導体レーザーやＬＥＤなどからなり、近赤外光の波長領域で複数波長の計測光を出力可能に構成されている。光検出部１２は、ＡＰＤ（アバランシェフォトダイオード）や光電子増倍管などからなり、受光プローブ４ｂに入射した計測光を、光ファイバ３を介して検出するように構成されている。その結果、光検出部１２は、検出した計測光に応じた受光量信号を出力する。光源駆動部１３は、本体制御部１５からの制御信号に従って光源１１を点灯および消灯させるように構成されている。Ａ／Ｄ変換器１４は、光検出部１２の受光量信号を所定のデジタル信号に変換して、本体制御部１５へ出力するように構成されている。本体制御部１５は、設定されたサンプリング期間や計測チャンネル数などの計測条件と、計測光の出力強度および光検出部１２の検出感度などに関する計測パラメータとに従って、光源１１（光源駆動部１３）および光検出部１２の動作制御を行う。
【００２８】
本体制御部１５は、ＣＰＵやメモリなどから構成されるコンピュータであり、計測用プログラムを実行することにより、上記した光計測ユニット１の各部を制御するように構成されている。これにより、本体制御部１５は、計測動作の実行、得られた受光量信号に基づく計測データの記憶部１７への記録や制御装置２への計測データの送信などの制御を行う。
【００２９】
通信部１６は、無線の通信モジュールからなり、制御装置２の後述する通信部２４との間で相互に無線通信を行うことが可能である。記憶部１７は、フラッシュメモリなどの不揮発性メモリからなる。また、記憶部１７は、光計測ユニット１に対して着脱可能な可搬型記憶媒体からなる。このため、記憶部１７のメモリ残量（記憶容量の残量）が少なくなった場合などには、記憶媒体の交換によってメモリ残量を確保することが可能である。記憶部１７には、脳機能計測の計測データ１７ａなどが格納される。光計測ユニット１は、通信部１６により計測データ１７ａを制御装置２にリアルタイムで送信するほか、計測データ１７ａを記憶部１７に記録しておくことが可能である。
【００３０】
光計測ユニット１の各部への電力供給は、バッテリ１８により行われる。この他、光計測ユニット１は、図示しない電源ケーブルを光計測ユニット１に接続することにより、有線での電力供給を受けることも可能である。残量検出部１９は、バッテリ１８のバッテリ残量を検出する機能を有する。残量検出部１９は、たとえばバッテリ１８の端子電圧を検出し、得られた電圧値に基づいてバッテリ残量を取得する電圧測定方式によりバッテリ残量を検出する。
【００３１】
次に、図２に示すように、制御装置２は、ＣＰＵなどから構成される制御部２１および解析部２２と、ＨＤＤなどからなる記憶部２３と、無線の通信モジュール（または外部接続の無線通信ユニット）からなる通信部２４とを備えたコンピュータ（ＰＣ）である。制御部２１および解析部２２は、それぞれ、記憶部２３に格納された制御プログラム２３ａをＣＰＵが実行することによって実現される機能ブロックとして構成されている。なお、制御部２１および解析部２２は、機能ブロックとしてではなく、専用のハードウェア（専用ＣＰＵ）により構成されてもよい。また、制御装置２は、液晶ディスプレイなどからなる表示部２５と、キーボードやマウスなどからなる操作入力部２６とを備えている。
【００３２】
制御装置２の各部は、制御部２１により制御される。制御部２１は、通信部２４を介して光計測ユニット１の計測データ１７ａを受信して記憶部２３に記録するように構成されている。解析部２２は、記憶部２３に記録された計測データ２３ｂに対する画像化（グラフ化）処理や、統計処理等を施すための演算処理を行う。第１実施形態では、制御部２１は、複数の光計測ユニット１の一部または全部により同時計測を行うように、複数の光計測ユニット１を制御するように構成されている。
【００３３】
記憶部２３は、制御プログラム２３ａや、計測条件およびパラメータなどの各種情報を記憶する。また、記憶部２３は、それぞれの光計測ユニット１から取得した複数の脳機能の計測データ１７ａをまとめて計測データ２３ｂとして記憶するように構成されている。また、通信部２４は、各光計測ユニット１の通信部１６との相互通信により、計測条件および計測パラメータや計測データなどの情報伝送を行うように構成されている。
【００３４】
第１実施形態では、通信部２４は、図３に示すように、複数の光計測ユニット１の各々について、光計測ユニット１が計測可能な状態か否かに関する所定の状態情報３０を無線通信により取得するように構成されている。そして、複数の光計測ユニット１の各々について取得した状態情報３０は、表示部２５の状態表示画面４０に一括で表示される。この際、制御部２１は、状態情報３０に基づいて、同時計測が可能な光計測ユニット１を特定し、複数の光計測ユニット１の各々について、同時計測可能であるか否かの情報（計測可否情報３１）を表示部２５に一括で表示させるように構成されている。
【００３５】
具体的には、制御部２１は、状態表示画面４０を表示部２５にウィンドウ表示させる。状態表示画面４０は、１からｎまでの光計測ユニット１の各々について、４項目からなる状態情報３０と、同時計測可能か否かの計測可否情報３１とを含んでいる。図３では、これらの情報の良否がマルバツ形式で一覧表示される例を示している。制御部２１は、所定の時間間隔で各光計測ユニット１の状態情報３０を取得して、状態表示画面４０を定期的に更新するように構成されている。また、制御部２１は、操作入力部２６（図２参照）を介して状態表示画面４０の検出開始ボタン４１が入力された場合にも、各光計測ユニット１の状態情報３０を取得して状態表示画面４０を更新するように構成されている。
【００３６】
第１実施形態では、状態情報３０は、光計測ユニット１と制御装置２との通信状態の情報（「無線通信状態」欄）３２、および、光計測ユニット１のバッテリ残量の情報３３を含む。また、状態情報３０は、さらに、光計測ユニット１のメモリ残量の情報３４、および、光計測ユニット１の受光量情報（「光量」欄）３５を含む。
【００３７】
光計測ユニット１と制御装置２との通信状態の情報３２は、光計測ユニット１と制御装置２との間の通信強度を示す情報である。たとえば図２に示すように、光計測ユニット１と制御装置２とがルータなどのネットワーク機器６を介して通信する場合、制御部２１は、各光計測ユニット１とネットワーク機器６との通信強度を取得するためのコマンドをネットワーク機器６に対して送信する。通信強度は、このコマンドに対するネットワーク機器６からの応答として取得される。また、光計測ユニット１と制御装置２とがネットワーク機器６を介さずに無線通信を行う場合、通信強度を通信部２４が直接検出してもよい。制御部２１は、得られた通信強度が、計測データ１７ａの伝送を行うのに十分な所定レベル以上であるか否かを判断して、判断結果を表示部２５に表示させる。図３では、信号強度が所定レベル以上の場合にマル表示をし、信号強度が所定レベル未満の場合にはバツ表示を行う表示例を示している。
【００３８】
光計測ユニット１のバッテリ残量の情報３３は、各光計測ユニット１の残量検出部１９の検出結果として取得される。制御部２１は、通信部２４を介して取得したバッテリ残量が、所定値（たとえば、５０％）以上であるか否かを判断して、判断結果を表示部２５に表示させる。図３では、バッテリ残量が所定値以上の場合にマル表示をし、バッテリ残量が所定値未満の場合にはバツ表示を行う表示例を示している。
【００３９】
光計測ユニット１のメモリ残量の情報３４は、各光計測ユニット１の記憶部１７の計測データ１７ａ用のメモリ残量である。制御部２１は、通信部２４を介して各光計測ユニット１に対してメモリ残量を問い合せ、各光計測ユニット１の本体制御部１５に記憶部１７を参照させることにより、メモリ残量を取得する。制御部２１は、通信部２４を介して取得したメモリ残量が、所定値以上であるか否かを判断して、判断結果を表示部２５に表示させる。図３では、メモリ残量が所定値以上の場合にマル表示をし、メモリ残量が所定値未満の場合にはバツ表示を行う表示例を示している。
【００４０】
なお、制御部２１は、設定された計測条件（サンプリング期間や計測チャンネル数）に基づいて、計測データ１７ａの単位時間あたりのデータ量（単位データ量）を決定する。メモリ残量の所定値は、決定された単位データ量で所定時間分（たとえば１時間分）に相当する空きデータ量として設定される。この他、たとえば計測開始から計測終了までの計測時間が予め設定されている場合には、所定値は、設定された計測時間分の空きデータ量として設定される。
【００４１】
光計測ユニット１の受光量情報３５は、光計測ユニット１の光源１１からの計測光に対する光検出部１２の受光量信号レベルの情報である。受光量情報３５は、実際に光源１１から計測光を照射して光検出部１２の受光量信号を取得することにより取得される。制御部２１は、通信部２４を介して取得した受光量信号レベルが、計測に適した所定範囲内であるか否かを判断して、判断結果を表示部２５に表示させる。図３では、受光量が所定範囲内の場合にマル表示をし、受光量が所定範囲外の場合にはバツ表示を行う表示例を示している。
【００４２】
なお、たとえば被験者Ｐに対するホルダ５の装着状態が不良でプローブ（送光プローブ４ａおよび受光プローブ４ｂ）が被験者Ｐの頭表に接触していない場合や、被験者Ｐの頭表とプローブとの間に頭髪などが介在して計測光が遮られるような場合には、正常な受光信号を得ることができずに受光量情報３５はバツ表示となる。その場合、ホルダ５やプローブの再装着が行われた後、光検出部１２の受光感度の調整（キャリブレーション）が実施される。調整結果として再取得された受光量が所定範囲内に収まれば、受光量情報３５はマル表示となる。
【００４３】
制御部２１は、これらの４項目の状態情報３０に基づいて、計測可否情報３１を生成する。第１実施形態では、４項目全てがマル表示となる場合、計測可否情報３１が二重マル表示となる。通信状態およびバッテリ残量のいずれかがバツとなる場合、計測可否情報３１がバツ表示となる。バツ表示は、同時計測ができない状態を表す。また、通信状態およびバッテリ残量がマル表示であり、かつ、メモリ残量または光量がバツ表示の場合、（一重の）マル表示となる。これは、同時計測可能であるものの、計測データ１７ａのデータ品質を高めるために全項目をマル表示にすること（二重マル表示にすること）が推奨される条件付きの状態を表す。
【００４４】
以上の状態表示画面４０に加えて、制御部２１は、図４に示すように、ユニット選択画面５０を表示部２５にウィンドウ表示させるように構成されている。ユニット選択画面５０では、制御部２１は、同時計測が可能な光計測ユニット１を表示部２５に選択可能に表示させるように構成されている。また、制御部２１は、バッテリ残量およびメモリ残量に基づいて光計測ユニット１の各々の計測可能時間を算出するように構成されている。そして、制御部２１は、複数の光計測ユニット１のそれぞれの計測可能時間に基づいて、複数の光計測ユニット１により同時計測を行う場合の同時計測可能時間３６を算出して表示部２５のユニット選択画面５０に表示するように構成されている。
【００４５】
ユニット選択画面５０は、１からｎまでの光計測ユニット１の各々について同時計測を行うか否か（ＯＮまたはＯＦＦ）を示す選択表示ボタン５１を含んでいる。この選択表示ボタン５１によって、操作入力部２６は、同時計測が可能な光計測ユニット１について、個別に選択する操作を受け付けることが可能なように構成されている。制御部２１は、状態表示画面４０の計測可否情報３１（図３参照）において同時計測可能（マル表示）と表示された光計測ユニット１に対して、選択表示ボタン５１を選択（オンオフ）可能に表示させる。一方、制御部２１は、計測可否情報３１において同時計測不能（バツ表示）と表示された光計測ユニット１に対しては、選択表示ボタン５１をグレイアウト（図４では破線で示す）させて選択不能にする。
【００４６】
同時計測可能時間３６は、各光計測ユニット１の計測可能時間に基づいて算出される。そのため、制御部２１は、光計測ユニット１の計測可能時間をユニット毎に算出する。計測可能時間には、バッテリ残量に基づく計測可能時間と、メモリ残量に基づく計測可能時間とが含まれる。
【００４７】
バッテリ残量に基づく計測可能時間は、たとえば、光計測ユニット１のバッテリ残量を、予め設定された単位時間あたりの消費電力（単位消費電力）で除した値として算出される。メモリ残量に基づく計測可能時間は、たとえば、光計測ユニット１のメモリ残量を、ユーザにより設定された計測条件での単位時間あたりのデータ量（単位データ量）で除した値として算出される。制御部２１は、バッテリ残量に基づく計測可能時間の値と、メモリ残量に基づく計測可能時間の値とのうち、小さい方を各光計測ユニット１の計測可能時間として採用する。そして、制御部２１は、各光計測ユニット１の計測可能時間のうちで最も小さい値を、同時計測可能時間３６として算出するように構成されている。
【００４８】
制御部２１は、ユニット選択画面５０において光計測ユニット１が選択されると、選択された光計測ユニット１の計測可能時間を加味して、同時計測可能時間３６を算出し直して更新する。同様に、光計測ユニット１の選択が解除されると、選択解除された光計測ユニット１の計測可能時間を除外して、同時計測可能時間３６を算出し直して更新する。また、制御部２１は、操作入力部２６を介してユニット選択画面５０の同時計測開始ボタン５２が入力された場合に、選択された光計測ユニット１により同時計測を開始するように構成されている。
【００４９】
なお、第１実施形態では、制御部２１は、同時計測の開始後にも、計測動作中の光計測ユニット１の各々の状態情報３０を取得して各計測可能時間および同時計測可能時間３６を算出するように構成されている。そして、制御部２１は、図５に示すように、算出した計測可能時間が所定値（たとえば、３０分）よりも小さく（少なく）なった光計測ユニット１が存在する場合に、注意画面６０を表示部２５にウィンドウ表示させるように構成されている。
【００５０】
注意画面６０において、制御部２１は、算出した計測可能時間が所定値よりも小さくなった光計測ユニット１を示す情報（メッセージ３７）を表示部２５に表示するように構成されている。すなわち、注意画面６０は、光計測ユニット１（図５では、ユニットＸ）を特定して、計測可能時間が短くなっている旨のメッセージ３７を含む。また、メッセージ３７には、計測可能時間が短くなっている原因（バッテリ残量不足またはメモリ残量不足）が含まれる。
【００５１】
なお、注意画面６０を確認したユーザは、バッテリ残量不足の場合には、たとえば特定された光計測ユニット１に対して電源ケーブルを接続するなどにより対応することができる。周囲に電源が無い場合やメモリ残量不足の場合には、予告された所定時間までの間で同時計測を一旦終了するように、計測の実施計画を変更するなどの対応を行うことができる。この場合でも、突然光計測ユニット１の計測が停止してしまう場合と異なり、計測再開が容易なように適切なタイミングで計測を終了することが可能である。
【００５２】
以上のような構成により、光計測システム１００では、同時計測に際して、複数の光計測ユニット１の各々についての状態情報３０と計測可否情報３１とが、表示部２５の状態表示画面４０に一括表示される。また、光計測システム１００では、同時計測が可能な光計測ユニット１が表示部２５のユニット選択画面５０に選択可能に表示され、個別に選択する操作が操作入力部２６を介して受け付けられる。このようにして選択された複数の光計測ユニット１（ユニット１〜ユニットｎのうち一部または全部）により、複数の被験者Ｐに対する脳機能計測の同時計測が実施される。
【００５３】
次に、図３〜図７を参照して、第１実施形態による光計測システム１００の脳機能計測の制御処理について説明する。上記の通り、光計測ユニット１の制御処理は本体制御部１５により実施され、制御装置２の制御処理は制御部２１により実施される。
【００５４】
まず、制御装置２側の処理について説明する。図６に示すように、制御装置２側では、ステップＳ１Ａにおいて制御部２１により計測プログラムが起動（実行）される。次に、ステップＳ２Ａにおいて、制御部２１は、ユーザの入力操作またはデータ読み込みにより、脳機能計測の計測条件および計測パラメータを設定する。また、制御装置２は、設定された計測条件および計測パラメータを各光計測ユニット１に送信する。
【００５５】
ステップＳ３Ａにおいて、制御部２１は、光計測ユニット１の光量（光検出部１２の検出感度）の調整（キャリブレーション）を行うか否かを判断する。光量調整を行う場合には、ステップＳ４Ａにおいて光量調整要求を光計測ユニット１に送信する。光量調整は、起動後に未実施の光計測ユニット１に対して行うほか、たとえば被験者Ｐに対するホルダ５の装着具合を修正した場合などにユーザの入力操作に基づいて行われる。
【００５６】
次に、制御装置２側のステップＳ５Ａにおいて、制御部２１は、状態情報３０の取得処理を実行する。制御部２１は、各光計測ユニット１に対して状態情報３０を要求する指示を通信部２４により送信する。この結果、制御装置２は、複数の光計測ユニット１の各々から、状態情報３０を取得する。なお、通信状態の情報３２については、制御部２１は、ネットワーク機器６または通信部２４から取得する。
【００５７】
制御装置２が状態情報３０を取得すると、ステップＳ６Ａにおいて、制御部２１は、得られた状態情報３０に基づいて、各光計測ユニット１の状態判定を行う。すなわち、制御部２１は、図３に示した通信状態の情報３２、バッテリ残量の情報３３、メモリ残量の情報３４、および、受光量情報３５の各項目を判定条件に従って判定する。また、制御部２１は、判定結果に基づいて、同時計測可能であるか否かの計測可否情報３１を光計測ユニット１毎に生成する。
【００５８】
次に、ステップＳ７Ａにおいて、制御部２１は、状態情報３０と計測可否情報３１とを一覧表示した状態表示画面４０を表示部２５に表示させる。
【００５９】
次に、ステップＳ８Ａにおいて、制御部２１は、状態情報３０を更新するか否かを判断する。具体的には、状態情報３０を取得してから所定時間が経過した場合、または、状態表示画面４０の検出開始ボタン４１（図３参照）の入力を受け付けた場合に、制御部２１は、状態情報３０を更新する。状態情報３０を更新する場合、処理がステップＳ５Ａに戻され、各光計測ユニット１に対して状態情報３０が再度要求されることにより、ステップＳ７Ａで状態情報３０が更新される。
【００６０】
状態情報３０を更新しない場合、制御部２１は、ステップＳ９Ａにおいて、各光計測ユニット１の計測可能時間を算出する。制御部２１は、単位消費電力および単位データ量と、状態情報３０のバッテリ残量およびメモリ残量とに基づいて、計測可能時間をユニット毎に算出する。
【００６１】
次に、ステップＳ１０Ａにおいて、制御部２１は、同時計測可能時間３６を算出する。すなわち、制御部２１は、ステップＳ９Ａで算出した各光計測ユニット１の計測可能時間のうちで最も小さい値を、同時計測可能時間３６として取得する。そして、ステップＳ１１Ａにおいて、制御部２１は、各光計測ユニット１の選択表示ボタン５１と、同時計測可能時間３６とを含むユニット選択画面５０を表示部２５に表示させる。
【００６２】
次に、制御部２１は、ステップＳ１２Ａにおいて、ユーザによるユニット選択操作を受け付けたか否かを判断する。いずれかの光計測ユニット１の選択表示ボタン５１がオンまたはオフされた場合には、ステップＳ１０ＡおよびＳ１１Ａが再度実施される。これにより、ユニット選択画面５０にユーザのユニット選択操作が反映され、選択後の光計測ユニット１での同時計測可能時間３６が表示されるようにユニット選択画面５０が更新される。
【００６３】
ユニット選択操作がない場合、制御部２１は、ステップＳ１３Ａにおいて、ユーザによる同時計測開始の操作を受け付けたか否かを判断する。ユーザにより同時計測開始ボタン５２（図４参照）が入力されなければ、処理がステップＳ８Ａに戻る。したがって、ステップＳ８Ａ（Ｓ５Ａ〜Ｓ８Ａ）からステップＳ１３Ａまでが繰り返される結果、状態表示画面４０およびユニット選択画面５０がユーザの操作や計測準備作業の進行に応じて更新される。
【００６４】
ステップＳ１３Ａで同時計測開始ボタン５２の入力が受け付けられた場合には、制御部２１は、ステップＳ１４Ａにおいて、選択された各光計測ユニット１に対して、同時計測を開始するための指示を送信する。この結果、選択された光計測ユニット１側で同時に脳機能計測が開始される。
【００６５】
脳機能計測が開始されると、各光計測ユニット１では、計測データ１７ａが経時的に生成される。計測データ１７ａは、予め設定された計測モードに応じて、各光計測ユニット１の記憶部１７に記録されるか、または、リアルタイムで制御装置２に送信される。なお、計測データ１７ａが制御装置２に送信されるモードにおいても、通信状態が良好でなく十分な伝送速度が得られない場合には、計測データ１７ａが一時的に記憶部１７に記録（バッファリング）されることにより、メモリ残量が減少していく場合がある。
【００６６】
同時計測開始後、図７のステップＳ１５Ａにおいて、制御部２１は、所定時間が経過したか否かを制御部２１が判断する。所定時間が経過していない場合には、処理がステップＳ１８Ａに進む。所定時間が経過した場合、ステップＳ１６Ａにおいて、制御部２１は、状態情報３０の取得処理を行う。処理の内容は、上記ステップＳ５Ａと同様である。
【００６７】
次に、ステップＳ１７Ａにおいて、制御部２１は、受信した状態情報３０に基づいて、計測動作中の各光計測ユニット１の計測可能時間の最新値を算出して更新する。また、制御部２１は、得られた計測可能時間の最新値に基づいて、同時計測可能時間３６を更新する。
【００６８】
そして、ステップＳ１８Ａにおいて、制御部２１は、同時計測可能時間３６が、所定値未満であるか否かを判断する。同時計測可能時間が所定値以上ある場合には、処理がステップＳ２０Ａに進む。
【００６９】
同時計測可能時間が所定値未満である場合、制御部２１は、ステップＳ１９Ａにおいて、注意画面６０を表示部２５に表示させる。制御部２１は、計測可能時間の最も短い光計測ユニット１（ユニットＸ）を特定するメッセージ３７を、同時計測可能時間３６とともに表示する。
【００７０】
次に、ステップＳ２０Ａにおいて、制御部２１は、同時計測を終了するか否かを判断する。同時計測を終了しない場合、処理がステップＳ１５Ａに戻る。この結果、同時計測中は、ステップＳ１５Ａ〜ステップＳ２０Ａの処理が繰り返されることにより、同時計測可能時間３６（各光計測ユニット１の計測可能時間）が監視される。
【００７１】
一方、予め設定された計測時間に達した場合、または、ユーザの操作入力により計測停止が受け付けられた場合に、ステップＳ２１Ａにおいて、制御部２１は、同時計測停止の指示を各光計測ユニット１に対して送信するとともに、同時計測処理を終了する。
【００７２】
次に、光計測ユニット１側の処理について説明する。
【００７３】
図６に示すように、光計測ユニット１側では、ステップＳ１Ｂにおいて、本体制御部１５により各部の初期化が行われる。ステップＳ２Ｂにおいて、本体制御部１５は、制御装置２から受信した脳機能計測の計測条件および計測パラメータの設定を行う。
【００７４】
ステップＳ３Ｂにおいて、本体制御部１５は、光量調整要求の有無を判断する。光量調整要求がある場合には、本体制御部１５は、ステップＳ４Ｂにおいて光量調整を行う。この結果、調整結果としての受光量情報３５が記憶部１７に記録される。
【００７５】
次に、ステップＳ５Ｂにおいて、本体制御部１５は、状態情報３０の要求の有無を判断する。状態情報３０の要求を受信した場合には、ステップＳ６Ｂにおいて、本体制御部１５は、ステップＳ４Ｂの光量調節の結果としての受光量情報を記憶部１７から取得する。続いて、本体制御部１５は、ステップＳ７Ｂにおいて、残量検出部１９からバッテリ残量を取得するとともに、記憶部１７を参照して、メモリ残量を取得する。次に、ステップＳ８Ｂにおいて、本体制御部１５は、取得した状態情報３０（受光量情報、バッテリ残量およびメモリ残量）を制御装置２に送信する。
【００７６】
また、ステップＳ５Ｂにおいて状態情報３０の要求を受信していない場合、本体制御部１５は、ステップＳ９Ｂにおいて計測開始指示を受信したか否かを判断する。計測開始指示を受信していない場合、処理がステップＳ５Ｂに戻される。このため、各光計測ユニット１は、計測開始指示を受信するまで、ステップＳ５Ｂ〜Ｓ９Ｂを繰り返して待機する。
【００７７】
また、ステップＳ９Ｂで計測開始指示ありと判断すると、本体制御部１５は、ステップＳ１０Ｂにおいて脳機能計測を開始する。以降、計測停止指示を受信するまで、計測データ１７ａの取得が継続される。
【００７８】
脳機能計測の開始後、図７のステップＳ１１Ｂにおいて、本体制御部１５は、状態情報３０の要求を受信したか否かを判断する。状態情報３０の要求を受信した場合、ステップＳ１２Ｂにおいて、本体制御部１５は、バッテリ残量の情報３３、メモリ残量の情報３４および受光量情報３５を取得して、ステップＳ１３Ｂにおいて状態情報３０を制御装置１に送信する。この場合、受光量情報３５は計測動作中の光検出部１２の受光信号に基づいて取得される。
【００７９】
また、ステップＳ１１Ｂにおいて状態情報３０の要求を受信していない場合、本体制御部１５は、ステップＳ１４Ｂにおいて計測を停止するか否かを判断する。計測停止指示を受信していない場合、処理がステップＳ１１Ｂに戻される。このため、各光計測ユニット１は、計測停止指示を受信するまで、計測動作を継続しながら、ステップＳ１１Ｂ〜Ｓ１４Ｂの処理を繰り返す。
【００８０】
ステップＳ１４Ｂにおいて同時計測停止の指示を受け付けた場合、本体制御部１５は、計測処理を終了する。以上により、光計測システム１００の計測処理動作が終了する。
【００８１】
第１実施形態では、以下のような効果を得ることができる。
【００８２】
第１実施形態では、上記のように、複数の光計測ユニット１の各々について、光計測ユニット１が計測可能な状態か否かに関する所定の状態情報３０を通信により取得する通信部２４と、複数の光計測ユニット１の各々について、取得した状態情報３０を一括で表示する表示部２５とを制御装置２に設ける。これにより、ユーザは、制御装置２の表示部２５に表示された状態情報３０から、それぞれの光計測ユニット１が計測可能な状態か否かを一度にまとめて確認することができる。その結果、計測可能な状態にない光計測ユニット１を速やかに把握して、計測可能な状態にするための作業を行うことができる。また、計測可能な光計測ユニット１も一括で把握することができるので、計測可能な光計測ユニット１については速やかに脳機能計測の準備を完了することができる。以上から、第１実施形態の光計測システム１００によれば、複数の光計測ユニット１での同時計測を行う場合に、各光計測ユニット１の状態の把握を容易化して計測準備に要する時間を短縮することができる。
【００８３】
また、第１実施形態では、上記のように、複数の光計測ユニット１の各々について、同時計測可能であるか否かの計測可否情報３１を表示部２５に一括で表示させるように制御装置２の制御部２１を構成する。これにより、複数の光計測ユニット１の各々が同時計測可能であるか否かを表示部２５の状態表示画面４０で一見して把握することができる。また、表示部２５の表示（計測可否情報３１）を見るだけで同時計測可能なユニットと計測可能な状態にないユニットとを即座に把握することができる。その結果、各光計測ユニット１の状態の把握をさらに容易化することができるとともに、ユーザに対する利便性を向上させることができる。
【００８４】
また、第１実施形態では、上記のように、制御装置２に、同時計測が可能な光計測ユニット１について、個別に選択する操作を受け付ける操作入力部２６を設ける。また、制御装置２の制御部２１を、選択された光計測ユニット１により同時計測を行うように構成する。これにより、複数の光計測ユニット１の一部のみを使用する場合などに、ユーザは、同時計測が可能な光計測ユニット１を選択するだけで脳機能計測を開始することができる。その結果、計測準備時間をさらに短縮することができる。
【００８５】
また、第１実施形態では、上記のように、状態情報３０に、通信状態の情報３２、および、光計測ユニット１のバッテリ残量の情報３３を含める。これにより、ユーザは、光計測ユニット１に計測動作を実行させるために必要な通信状態の情報３２およびバッテリ残量の情報３３を各光計測ユニット１について一括で把握することができる。その結果、各光計測ユニット１を計測可能な状態にするために必要な情報を容易かつ速やかに把握することが可能となる。
【００８６】
また、第１実施形態では、上記のように、状態情報３０に、メモリ残量の情報３４および受光量情報３５を含める。これにより、メモリ残量の情報３４により、各光計測ユニット１が継続して計測するためのメモリ残量が確保されているか否かを一括で把握することができる。また、受光量情報３５により、送光プローブ４ａおよび受光プローブ４ｂやホルダ５の被験者への装着状態の良否や、各光計測ユニット１の光検出部１２の感度調整（キャリブレーション）の必要性を一括で把握することができる。以上の結果、各光計測ユニット１で良好な計測データ１７ａを得るために必要な情報を把握することが可能となる。
【００８７】
また、第１実施形態では、上記のように、制御装置２の制御部２１を、複数の光計測ユニット１のそれぞれの計測可能時間に基づいて、複数の光計測ユニット１により同時計測を行う場合の同時計測可能時間３６を算出して表示部２５に表示するように構成する。これにより、ユーザは、同時計測可能時間３６に基づいて、自らの実施計画に沿った同時計測が実施可能か否かを容易に判断することができる。そして、同時計測可能時間３６が不十分である場合には、ユーザは、バッテリ残量がある程度残っている光計測ユニット１に対してもバッテリ交換を行ったり、計測の実施計画を変更したりする対応を採ることができる。これにより、ユーザに対する利便性をさらに向上させることができる。
【００８８】
また、第１実施形態では、上記のように、制御装置２の制御部２１を、同時計測の開始後に、計測動作中の光計測ユニット１の各々の状態情報３０を取得するとともに、計測可能時間が所定値よりも少なくなった光計測ユニット１を示す情報（メッセージ３７）を表示部２５に表示するように構成する。これにより、複数の光計測ユニット１による同時計測の実行中にも、光計測ユニット１の計測可能時間が残り少なくなった場合にユーザがその光計測ユニット１を把握することができる。これにより、計測可能時間が少なくなったユニットに電源ケーブルを接続する対応や、計測の実施計画を変更して、適切なタイミングで計測中断を行うなどの対応をとることができる。
【００８９】
（第２実施形態）
次に、図８を参照して、本発明の第２実施形態による光計測システムについて説明する。第２実施形態では、１台の制御装置２を備えた上記第１実施形態とは異なり、複数台の制御装置１０２を備えた光計測システム２００について説明する。なお、第２実施形態において、上記第１実施形態と同様の構成については同一の符号を付し、説明を省略する。
【００９０】
図８に示すように、第２実施形態による光計測システム２００は、光計測ユニット１と、複数の制御装置１０２とを備えている。光計測ユニット１は、ｎ台設けられている。複数の制御装置１０２は、それぞれ、１または複数の光計測ユニット１と無線通信接続されることにより、制御を担当する光計測ユニット１が割り当てられている。それぞれの光計測ユニット１は、いずれか１台の制御装置１０２によって制御される。光計測ユニット１および制御装置１０２の装置構成自体は、上記第１実施形態と同様である。
【００９１】
複数の制御装置１０２は、有線または無線のネットワーク１０３によって相互通信可能に接続されている。光計測システム２００では、複数の制御装置１０２のうち、いずれか１台が親機（マスタ機）１０２ａとして機能し、親機１０２ａ以外の制御装置１０２が子機（スレーブ機）１０２ｂとして機能するように構成されている。これにより、光計測システム２００では、親機１０２ａがそれぞれの子機１０２ｂを中継することにより、ｎ台の光計測ユニット１の同時計測の動作制御を行うように構成されている。
【００９２】
また、状態情報３０を取得する場合、親機１０２ａは、各子機１０２ｂに対して、割り当てられた光計測ユニット１の状態情報３０を要求する指示を送信する。この指示に応じて、各子機１０２ｂが、光計測ユニット１の状態情報３０を取得する。状態情報３０を取得する際の個々の制御装置１０２と光計測ユニット１との動作は、上記第１実施形態と同様である。取得した状態情報３０が各子機１０２ｂから親機１０２ａに送信されることにより、全ての光計測ユニット１の状態情報３０が親機１０２ａにより取得される。この結果、ユーザの操作する親機１０２ａの表示部２５に、状態表示画面４０やユニット選択画面５０などが表示される。
【００９３】
なお、個々の制御装置１０２と、その制御装置１０２に割り当てられた光計測ユニット１とからなるグループ１０４は、無線通信可能な範囲内に設置されている。一方、個々のグループ１０４は、同一の部屋に設置されていてもよいし、無線の届かない別個の部屋または別の施設等に設置されていてもよい。したがって、光計測システム２００では、たとえば、親機１０２ａのグループ１０４をユーザの研究室に設置し、子機１０２ｂのグループ１０４をまとめて別の実験室に設置することや、子機１０２ｂのグループ１０４を被験者Ｐの自宅などの遠隔地に設置することが可能である。制御装置１０２が遠隔地に設置されている場合、たとえばインターネットなどのネットワーク１０３を経由して制御装置１０２同士が制御信号や計測データ１７ａのやりとりを行う。
【００９４】
第２実施形態のその他の構成は、上記第１実施形態と同様である。
【００９５】
第２実施形態では、上記第１実施形態と同様に、制御装置１０２（親機１０２ａ）の表示部２５に表示された状態情報３０から、それぞれの光計測ユニット１が計測可能な状態か否かを一度にまとめて確認することができるので、各光計測ユニット１の状態の把握を容易化して計測準備に要する時間を短縮することができる。
【００９６】
また、第２実施形態による光計測システム２００では、相互通信可能に接続された複数台の制御装置１０２を設けることによって、単一の制御装置１０２の無線通信範囲に光計測ユニット１を制約することなく、無線信号の届かない別室や遠隔地などに設置された光計測ユニット１を用いて同時計測を行うことができる。これにより、ユーザによる同時計測への様々ニーズにも対応可能となる。
【００９７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９８】
たとえば、上記第１および第２実施形態では、被験者によって携行可能に構成された携帯型の光計測ユニット１を設けた例を示したが、本発明はこれに限られない。光計測ユニットには、筐体内に制御装置を内蔵し、携帯型ユニットよりも多数のプローブを接続可能に構成され、台車などによって搬送される大型の可搬型ユニットもある。本発明では、光計測システムに携帯型ユニットに代えて可搬型ユニットを設けてもよいし、携帯型ユニットと可搬型ユニットとを混在させてもよい。また、光計測システムに可搬型ユニットを設ける場合、可搬型ユニットに内蔵される制御装置を、光計測システムの制御装置として機能させてもよい。
【００９９】
また、上記第１および第２実施形態では、複数の光計測ユニット１と制御装置２とを無線接続する例を示したが、本発明はこれに限られない。本発明では、複数の光計測ユニット１と制御装置２とを有線接続してもよい。
【０１００】
また、上記第１および第２実施形態では、状態情報３０が、通信状態の情報３２と、バッテリ残量の情報３３と、メモリ残量の情報３４と、受光量情報３５とを含む例を示したが、本発明はこれに限られない。本発明では、状態情報が、通信状態の情報およびバッテリ残量の情報のみを含んでもよい。また、通信状態の情報およびバッテリ残量の情報に加えて、メモリ残量の情報および受光量情報の一方のみを状態情報に含めてもよい。また、状態情報は、これらの４項目の情報以外の他の情報含んでいてもよい。
【０１０１】
また、上記第１および第２実施形態では、表示部２５（状態表示画面４０）に状態情報３０と、同時計測可能か否かの計測可否情報３１とをユニット毎に表示する例を示したが、本発明はこれに限られない。本発明では、計測可否情報を表示せずに、状態情報のみを表示してもよい。この場合でも、ユーザは、状態情報の表示から、各光計測ユニットが同時計測可能か否かを自ら判断することができる。
【０１０２】
また、上記第１および第２実施形態では、状態情報３０や計測可否情報３１をマルバツ形式で表示する例を示したが、本発明はこれに限られない。本発明では、状態情報３０や計測可否情報３１をマルバツ形式以外の態様で表示してもよい。バッテリ残量の情報３３やメモリ残量の情報３４については、数値表示を採用してもよい。たとえば、バッテリ残量をパーセント表示したり、メモリ残量をバイト単位（ＭＢ）で数値表示したりしてもよい。また、通信状態の情報３２や計測可否情報３１は、文字表示を採用してもよい。たとえば、通信状態を「良好」、「不良」などで表示してもよい。また、計測可否情報を「計測可能」、「計測不能」などで表示してもよい。
【０１０３】
また、上記第１実施形態では、説明の便宜上、制御処理フローに沿って順番に処理を行うフロー駆動型のフローチャートを用いて説明したが、本発明はこれに限られない。本発明では、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１０４】
１  光計測ユニット
２、１０２  制御装置
２１  制御部
２４  通信部
２５  表示部
２６  操作入力部
３０  状態情報
３１  計測可否情報
３２  通信状態の情報
３３  バッテリ残量の情報
３４  メモリ残量の情報
３５  受光量情報
３７  同時計測可能時間
１００、２００  光計測システム
【図１】
2015177876.tif 000003
【図２】
2015177876.tif 000004
【図３】
2015177876.tif 000005
【図４】
2015177876.tif 000006
【図５】
2015177876.tif 000007
【図６】
2015177876.tif 000008
【図７】
2015177876.tif 000009
【図８】
2015177876.tif 000010
【国際調査報告】
2015177876.tif 000011
2015177876.tif 000012